(57)【特許請求の範囲】
【請求項１】
機台枠に表枠が扉状に開閉可能に取り付けられており、その表枠にガラス枠が同じく扉状に開閉可能に取り付けられている遊技機において、前記ガラス枠の施錠を行なうガラス枠用施錠機構と前記表枠の施錠を行なう表枠用施錠機構との施錠動作をシリンダ錠のキー操作により解除する遊技機の施錠装置における錠本体であって、
ガラス枠用解錠レバー及び表枠用解錠レバーを備え、シリンダ錠の回転軸に取り付けられ、シリンダ錠に対するキー操作により回転可能な構成の回転体と、
前記シリンダ錠の回転軸の回りに配置され、前記回転体を原位置に保持するコイルバネの弾性体とを有しており、
前記ガラス枠が閉じられて、前記ガラス枠用解錠レバー、表枠用解錠レバーがそれぞれ前記ガラス枠用施錠機構、前記表枠用施錠機構と係合しているときに、シリンダ錠へのキー操作により前記回転体が原位置から前記コイルバネの弾性体の力に抗して一方向に回転すると、前記ガラス枠用解錠レバーが前記ガラス枠用施錠機構の施錠動作を解除し、前記回転体が原位置から前記コイルバネの弾性体の力に抗して逆方向に回転すると、前記表枠用解錠レバーが前記表枠用施錠機構の施錠動作を解除する構成であり、
前記コイルバネの弾性体は、コイル部と、そのコイル部の一端に設けられた第１直線部と、前記コイル部の他端に設けられた第２直線部とから構成されており、第１直線部の先端と第２直線部の先端とが閉じた状態で形成されており、第１直線部の先端と第２直線部の先端とを開く方向の外力を受けると、元の形状に戻る方向の回転トルクを発生する構成であり、
前記コイルバネの弾性体の第１直線部の先端と第２直線部の先端とが、前記ガラス枠側に固定された固定バネ受け材の上下方向から掛けられており、
さらに、前記回転体においてガラス枠用解錠レバーと表枠用解錠レバーとの中間位置に形成されたバネ受け部が、コイルバネの弾性体の第１直線部と第２直線部との間に配置されており、
前記回転体が原位置にあるときは、その回転体のバネ受け部と、ガラス枠側に固定された固定バネ受け材とがコイルバネの弾性体の第１直線部と第２直線部との間に保持されて、前記回転体に回転トルクが加わらないように構成されており、
前記回転体が原位置から一方向に回転すると、コイルバネの弾性体の第１直線部がその回転体のバネ受け部と係合し、前記コイルバネの弾性体の第２直線部が固定バネ受け材と係合して、前記回転体に対して原位置方向への回転トルクが加えられ、
前記回転体が原位置から逆方向に回転すると、コイルバネの弾性体の第１直線部が固定バネ受け材と係合し、コイルバネの第２直線部が前記回転体のバネ受け部と係合して、前記回転体に対して原位置方向への回転トルクが加えられることを特徴とする遊技機の施錠装置における錠本体。
【請求項２】
請求項１に記載された遊技機の施錠装置における錠本体であって、
回転体のバネ受け部及び固定バネ受け材には、コイルバネの弾性体の第１直線部及び第２直線部が掛けられる位置に溝が形成されていることを特徴とする遊技機の施錠装置における錠本体。
【発明の詳細な説明】
【技術分野】
【０００１】
本発明は、機台枠に表枠が扉状に開閉可能に取り付けられており、その表枠にガラス枠が同じく扉状に開閉可能に取り付けられている遊技機において、前記ガラス枠の施錠を行なうガラス枠用施錠機構と前記表枠の施錠を行なう表枠用施錠機構との施錠動作を解除する遊技機の施錠装置における錠本体に関する。
【背景技術】
【０００２】
上記した遊技機の施錠装置における錠本体については種々のものが提案されている。
例えば、特許文献１に記載された遊技機の施錠装置における錠本体１００は、図６に示すように、回転体１０１に固定された解錠レバー１０２と、その解錠レバー１０２を原位置（上限中央）まで戻すための戻し機構１０４とを備えている。このように、錠本体１００の解錠レバー１０２が戻し機構１０４によって原位置（上限中央）まで戻されることで、ガラス枠が閉じられる際に、その解錠レバー１０２が常にガラス枠用施錠機構及び表枠用施錠機構と係合するようになる。
前記戻し機構１０４は、解錠レバー１０２をガイド部材１１４の扁平Ｖ溝１１４ｖで受け、そのガイド部材１１４をコイルバネ１０４ｂのバネ力で上限位置まで引き上げることで、解錠レバー１０２を原位置（上限中央）に保持する構成である。
【特許文献１】特開２００４−２９０２３２号公報
【発明の開示】
【発明が解決しようとする課題】
【０００３】
上記した遊技機の施錠装置の錠本体１００は、解錠レバー１０２を上下スライド可能なガイド部材１１４の扁平Ｖ溝１１４ｖで受け、そのガイド部材１１４をコイルバネ１０４ｂのバネ力で引き上げることで、その解錠レバー１０２を原位置に保持する構成である。このため、ガイド部材１１４、コイルバネ１０４ｂのほかに、ガイド部材１１４をスライド可能に支持する部材が必要となり、部品点数が多く、錠本体１００が大型化する。さらに、錠本体１００の製作コストも高くなる。
【０００４】
本発明は、上記問題点を解決するためになされたものであり、本発明の技術的課題は、錠本体をコンパクト化するとともに、その錠本体の製作コスト低減を図ることである。
【課題を解決するための手段】
【０００５】
上記した課題は、各請求項の発明によって解決される。
請求項１の発明は、機台枠に表枠が扉状に開閉可能に取り付けられており、その表枠にガラス枠が同じく扉状に開閉可能に取り付けられている遊技機において、前記ガラス枠の施錠を行なうガラス枠用施錠機構と前記表枠の施錠を行なう表枠用施錠機構との施錠動作をシリンダ錠のキー操作により解除する遊技機の施錠装置における錠本体であって、
ガラス枠用解錠レバー及び表枠用解錠レバーを備え、シリンダ錠の回転軸に取り付けられ、シリンダ錠に対するキー操作により回転可能な構成の回転体と、前記シリンダ錠の回転軸の回りに配置され、前記回転体を原位置に保持するコイルバネの弾性体とを有しており、前記ガラス枠が閉じられて、前記ガラス枠用解錠レバー、表枠用解錠レバーがそれぞれ前記ガラス枠用施錠機構、前記表枠用施錠機構と係合しているときに、シリンダ錠へのキー操作により前記回転体が原位置から前記コイルバネの弾性体の力に抗して一方向に回転すると、前記ガラス枠用解錠レバーが前記ガラス枠用施錠機構の施錠動作を解除し、前記回転体が原位置から前記コイルバネの弾性体の力に抗して逆方向に回転すると、前記表枠用解錠レバーが前記表枠用施錠機構の施錠動作を解除する構成であり、前記コイルバネの弾性体は、コイル部と、そのコイル部の一端に設けられた第１直線部と、前記コイル部の他端に設けられた第２直線部とから構成されており、第１直線部の先端と第２直線部の先端とが閉じた状態で形成されており、第１直線部の先端と第２直線部の先端とを開く方向の外力を受けると、元の形状に戻る方向の回転トルクを発生する構成であり、前記コイルバネの弾性体の第１直線部の先端と第２直線部の先端とが、前記ガラス枠側に固定された固定バネ受け材の上下方向から掛けられており、さらに、前記回転体においてガラス枠用解錠レバーと表枠用解錠レバーとの中間位置に形成されたバネ受け部が、コイルバネの弾性体の第１直線部と第２直線部との間に配置されており、前記回転体が原位置にあるときは、その回転体のバネ受け部と、ガラス枠側に固定された固定バネ受け材とがコイルバネの弾性体の第１直線部と第２直線部との間に保持されて、前記回転体に回転トルクが加わらないように構成されており、前記回転体が原位置から一方向に回転すると、コイルバネの弾性体の第１直線部がその回転体のバネ受け部と係合し、前記コイルバネの弾性体の第２直線部が固定バネ受け材と係合して、前記回転体に対して原位置方向への回転トルクが加えられ、前記回転体が原位置から逆方向に回転すると、コイルバネの弾性体の第１直線部が固定バネ受け材と係合し、コイルバネの第２直線部が前記回転体のバネ受け部と係合して、前記回転体に対して原位置方向への回転トルクが加えられることを特徴とする。
【０００６】
本発明によると、前記弾性体は、原位置でガラス枠用解錠レバー及び表枠用解錠レバーを備える回転体に対して回転トルクを加えないように構成されている。また、前記弾性体は、原位置以外で前記回転体に対して原位置まで戻す方向の回転トルクを加えられるように構成されている。即ち、錠本体がキー操作された後は、前記回転体は弾性体の働きで原位置まで戻される。さらに、原位置では、前記回転体に対して弾性体の回転トルクが加わらないため、その回転体の回転ストッパ等が不要になる。
このように、弾性体の力のみで前記回転体を原位置まで戻し、さらにその回転体を原位置に保持する構成のため、従来のように、ガイド部材やそれを支持する部材等が不要になり錠本体をコンパクト化できるとともに、錠本体のコスト低減を図ることができる。
【０００７】
請求項２の発明によると、回転体のバネ受け部及び固定バネ受け材には、コイルバネの弾性体の第１直線部及び第２直線部が掛けられる位置に溝が形成されていることを特徴とする。このため、弾性体の端部が常に同じ位置に掛けられるようになり、前記回転体に対する弾性体の回転トルクが常に一定になる。
【発明の効果】
【０００８】
本発明によれば、錠本体をコンパクト化できるとともに、錠本体のコスト低減を図ることができる。
【発明を実施するための最良の形態】
【０００９】
以下、図１から図５に基づいて本発明の実施形態１に係る遊技機の施錠装置における錠本体の説明を行なう。本実施形態は、遊技機の一つであるパチンコ機に本発明を適用した例である。ここで、図１はパチンコ機の施錠装置における錠本体を表す分解斜視図、図２はその錠本体の部分破断平面図等、図３は錠本体の動作を表す縦断面図、図４は錠本体の部品図である。また、図５は本実施形態に係る施錠装置を備えるパチンコ機の概略斜視図である。なお、図中の前後左右及び上下はパチンコ機における前後左右及び上下に対応している。
【００１０】
＜パチンコ機の概要＞
パチンコ機１０は、図５に示すように、そのパチンコ機１０のケースとなる角枠状の機台枠１１を備えており、その機台枠１１に表枠１２が扉状に開閉可能に取付けられている。表枠１２は、遊技盤１２ｙや制御装置等、パチンコ機の主要部品が取付けられる枠である。表枠１２の表面には、遊技盤１２ｙを覆うガラス枠２０及び玉受け皿等を有する前板１６が扉状に開閉可能に取付けられている。
ガラス枠２０の裏面には、ガラス板２１を支えるＵ字形のガラス受け２３が固定されており、回動自由端側に位置するガラス受け２３の縦部にガラス枠用施錠機構３０が装着されている。
【００１１】
＜ガラス枠用施錠機構３０について＞
ガラス枠用施錠機構３０はガラス枠２０の施錠を行なう機構であり、前記ガラス受け２３に沿って固定される板状の固定基板３２を備えている。固定基板２３はガラス枠２０の裏面に対して直角に配置されており、その固定基板３２の上下所定位置に切欠き３２ｋが形成されている。
前記切欠き３２ｋは、表枠１２の表面側に突出した一対の爪受け金具１２ｋと対応する位置に形成されており、ガラス枠２０が閉じられたときに固定基板３２と爪受け金具１２ｋとが干渉しないように配慮されている。
【００１２】
ガラス枠用施錠機構３０の固定基板３２には、その固定基板３２に沿って一定範囲で上下摺動できる第１可動錠板３４が装着されている。第１可動錠板３４は上下所定位置に第１ロック爪３４ｒが形成されている。そして、第１可動錠板３４が上限位置まで上動する過程で、それらの第１ロック爪３４ｒが表枠１２の爪受け金具１２ｋに下方から掛けられて、前記ガラス枠２０の施錠が行なわれる。ここで、第１可動錠板３４は図示されていないバネの働きで上限位置、即ち、施錠位置に保持されている。また、前記第１可動錠板３４のほぼ中央位置には後記する錠本体５０のガラス枠用解錠レバー５２と係合するレバー受け部３４ｄが形成されている。
【００１３】
＜表枠用施錠機構４０について＞
前記表枠１２の回動自由端側には、前述の爪受け金具１２ｋの外側に表枠用施錠機構４０が装着されている。
表枠用施錠機構４０は表枠１２の施錠を行なう機構であり、表枠１２の裏面縦方向に固定される断面略Ｌ字形の固定基板（図示されていない）を有している。
前記固定基板には表枠１２の裏面に対して直角なガイド面が形成されており、そのガイド面に沿って一定範囲で上下摺動できるように、第２可動錠板４４がその固定基板に装着されている。第２可動錠板４４の前側には表枠１２の表面から突出してガラス枠２０の近傍まで延びる解錠操作レバー４４ｒが設けられている。そして、ガラス枠２０が閉じられた状態で、原位置にある錠本体５０の表枠用解錠レバー５４が解錠操作レバー４４ｒと係合するように構成されている。また、第2可動錠板４４の上下端には第２ロック爪４４ｘが連結されている。
【００１４】
第２ロック爪４４ｘは表枠１２の後方に延びる爪体であり、その略中央部が上下回転可能なように前記固定基板に連結されており、さらにその基端部が第2可動錠板４４に連結されている。このため、第2可動錠板４４が上動すると第２ロック爪４４ｘは図５において右回転（下方に回転）し、その第２ロック爪４４ｘは機台枠１１の内側面に設けられた爪受け金具１１ｋに上方から掛けられる。これにより、表枠１２の施錠が行なわれる。ここで、前記第2可動錠板４４は図示されていないバネの働きで上限位置、即ち、施錠位置に保持されている。
【００１５】
＜錠本体５０について＞
前記ガラス枠２０の裏面には、図５に示すように、ガラス枠用施錠機構３０の外側に取付け部２６が設けられており、その取付け部２６に錠本体５０を構成するシリンダ錠５１がビス止めされている。錠本体５０は、ガラス枠用施錠機構３０及び表枠用施錠機構４０の解錠を行なうための部材であり、図１に示すように、シリンダ錠５１と、そのシリンダ錠５１の回転軸５１ｒの先端に固定された回転体５５と、その回転体５５を原位置に保持するためのコイル状の弾性体５７とを有している。さらに、ガラス枠２０の取付け部２６には、シリンダ錠５１の右横位置に弾性体５７の先端が掛けられるバネ受けピン６０（後記する）が固定されている。
【００１６】
回転体５５は、図１、図４（Ｃ）に示すように、略扇形の平板部５６を備えており、その平板部５６の中心にシリンダ錠５１の回転軸５１ｒの先端部５１ｐが嵌合する嵌合穴５６ｈが形成されている。また、平板部５６の周縁には中心を挟んで対向する位置に、前述のガラス枠用解錠レバー５２と表枠用解錠レバー５４とが平板部５６に対して直角に折り曲げ成形されている。さらに、平板部５６の周縁には、ガラス枠用解錠レバー５２と表枠用解錠レバー５４との中間位置に、バネ受け部５５ｂがそれらの解錠レバー５２，５４と反対方向に折り曲げ成形されている。バネ受け部５５ｂは弾性体５７の一端と他端とが掛けられる部分であり、弾性体５７の端部と直接接触する部分にバネ溝５５ｍが形成されている。
【００１７】
弾性体５７は、シリンダ錠５１の回転軸５１ｒの回りに配置されるコイルバネであり、図４（Ａ）（Ｂ）等に示すように、コイル部５７ｃと、そのコイル部５７ｃの一端に設けられた第１直線部５７ｅと、前記コイル部５７ｃの他端に設けられた第２直線部５７ｆとから構成されている。弾性体５７は、図４等に示すように、第１直線部５７ｅの先端と第２直線部５７ｆの先端とを閉じた状態（接近させた状態）で製作されており、第１直線部５７ｅの先端と第２直線部５７ｆの先端とを開く方向の外力を受けると、元の形状に戻る方向の回転トルクを発生する。
【００１８】
次に、錠本体５０の組立について説明する。
先ず、シリンダ錠５１がガラス枠２０（取付け部２６）に取付けられた状態で、図１に示すように、そのシリンダ錠５１の回転軸５１ｒにワッシャ５８が装着され、次に弾性体５７が装着される。即ち、シリンダ錠５１の回転軸５１ｒが弾性体５７のコイル部５７ｃに通されることで、その弾性体５７が回転軸５１ｒの回りに保持される。
次に、弾性体５７の第１直線部５７ｅの先端と第２直線部５７ｆの先端とが、図２（Ａ）（Ｂ）に示すように、上記したバネ受けピン６０のバネ溝６１に上下方向から掛けられる。
【００１９】
次に、この状態で、シリンダ錠５１の回転軸５１ｒの先端部５１ｐと回転体５５の嵌合穴５６ｈとが嵌合され、ネジ５９によりその回転体５５がシリンダ錠５１の回転軸５１ｒに固定される。これにより、錠本体５０の組立が完了する。
このとき、回転体５５のバネ受け部５５ｂは、図２（Ａ）（Ｂ）に示すように、弾性体５７の第１直線部５７ｅと第２直線部５７ｆとの間に配置されており、その第１直線部５７ｅ、あるいは第２直線部５７ｆと係合可能となっている。この位置が、回転体５５の原位置であり、その回転体５５のバネ受け部５５ｂには弾性体５７の回転トルクが加わっていない。即ち、錠本体５０の回転体５５が原位置にある状態でガラス枠２０を閉じると、その回転体５５の表枠用解錠レバー５４が表枠用施錠機構４０の解錠操作レバー４４ｒと係合するようになる。なお、回転体５５のガラス枠用解錠レバー５２とガラス枠用施錠機構３０のレバー受け部３４ｄとは常に係合可能状態に保持されている。
【００２０】
＜本実施形態に係る錠本体５０の動作について＞
ガラス枠２０の解錠を行なうには、キー（図示省略）を錠本体５０のシリンダ錠５１に挿入して一方向に回転させる。これによって、回転体５５が一方向に回転し、図３（Ａ）に示すように、その回転体５５のバネ受け部５５ｂが弾性体５７の第１直線部５７ｅをその弾性体５７の弾性力に抗して原位置から一方向に回転させる。即ち、弾性体５７の第１直線部５７ｅ（一端）が回転体５５のバネ受け部５５ｂのバネ溝５５ｍと係合し、弾性体５７の第２直線部５７ｆ（他端）がバネ受けピン６０のバネ溝６１と係合している状態で、その弾性体５７の第１直線部５７ｅと第２直線部５７ｆとの間が開かれる。これにより、錠本体５０の回転体５５には原位置に戻る方向の回転トルクが加わるようになる。
キー操作により回転体５５が一方向に回転すると、ガラス枠用解錠レバー５２が一方向に回転して、そのガラス枠用解錠レバー５２がガラス枠用施錠機構３０のレバー受け部３４ｄを介して第１可動錠板３４をバネ力に抗して押し下げる。これによって、第１可動錠板３４の第１ロック爪３４ｒと表枠１２の爪受け金具１２ｋとの係合が解除され、ガラス枠２０が解錠される。
そして、キー操作が終了すると、錠本体５０の回転体５５は弾性体５７の弾性力で原位置まで戻される。
即ち、バネ受けピン６０が本発明の固定バネ受け材に相当する。
【００２１】
また、ガラス枠２０が閉じられている状態で、表枠１２の解錠を行なうには、前記キーを錠本体５０のシリンダ錠５１に挿入して逆方向に回転させる。これによって、回転体５５が逆方向に回転し、図３（Ｂ）に示すように、その回転体５５のバネ受け部５５ｂが弾性体５７の第２直線部５７ｆをその弾性体５７の弾性力に抗して原位置から逆方向に回転させる。即ち、弾性体５７の第１直線部５７ｅ（一端）がバネ受けピン６０のバネ溝６１と係合し、弾性体５７の第２直線部５７ｆ（他端）が回転体５５のバネ受け部５５ｂのバネ溝５５ｍと係合している状態で、その弾性体５７の第１直線部５７ｅと第２直線部５７ｆとの間が開かれる。これにより、錠本体５０の回転体５５には原位置に戻る方向の回転トルクが加わるようになる。
キー操作により回転体５５が逆方向に回転すると、表枠用解錠レバー５４が逆方向に回転して、その表枠用解錠レバー５４が表枠用施錠機構４０の解錠操作レバー４４ｒを介して第２可動錠板４４をバネ力に抗して押し下げる。これによって、第２可動錠板４４がバネ力に抗して下方に移動し、第２ロック爪４４ｘが上方に回転して機台枠１１の爪受け金具１１ｋから外れて、表枠１２の解錠が行なわれる。
そして、キー操作が終了すると、錠本体５０の回転体５５は弾性体５７の弾性力で原位置まで戻される。
【００２２】
＜本実施形態に係る錠本体５０の長所について＞
本実施形態に係るパチンコ機の施錠装置によると、錠本体５０の弾性体５７は、原位置でガラス枠用解錠レバー５２及び表枠用解錠レバー５４を備える回転体５５に対して回転トルクを加えないように構成されている。また、前記弾性体５５は、原位置以外で回転体５５に対して原位置まで戻す方向の回転トルクを加えられるように構成されている。即ち、錠本体５０のシリンダ錠５１がキー操作された後は、回転体５５は弾性体５７の働きで原位置まで戻される。さらに、原位置では、回転体５５に対して弾性体５７の回転トルクが加わらないため、その回転体５５の回転ストッパ等が不要になる。
このように、弾性体５７の力のみで回転体５５を原位置まで戻し、さらにその回転体５５を原位置に保持する構成のため、従来のように、ガイド部材やそれを支持する部材等が不要になり錠本体５０をコンパクト化できるとともに、錠本体５０のコスト低減を図ることができる。
また、回転体５７のバネ受け部５５ｂ及びバネ受けピン６０には、弾性体５７の端部（第１直線部５７ｅ，第２直線部５７ｆ）が掛けられる位置にバネ溝５５ｍ，６１が形成されているため、弾性体５７の端部が常に同じ位置に掛けられるようになり、回転体５５に対する弾性体５７の回転トルクが常に一定になる。
【００２３】
＜変更例＞
なお、本発明は上記実施形態に限定されるものではなく、本発明の要旨を逸脱しない範囲における変更が可能である。例えば、本実施形態では、バネ受けピン６０をガラス枠２０に設ける例を示したが、シリンダ錠５１の取付け板部５１ｄに設けることも可能である。また、バネ受けピン６０の代わりに、ガラス枠２０の鉄板を切り起こしたものを使用することも可能である。
さらに、弾性体５７としてコイルバネを例示したが、コイルバネの代わりに板バネを使用することも可能である。例えば、ガラス枠２０等に固定された二枚の板バネの一方で回転体５７のバネ受け部５５ｂ（図１参照）の上側を押え、他方で回転体５７のバネ受け部５５ｂの下側を押える構成も可能である。
また、本実施形態では、ガラス枠用施錠機構３０をガラス枠２０の裏面に設ける例を示したが、そのガラス枠用施錠機構３０を表枠１２側に設けることも可能である。
【図面の簡単な説明】
【００２４】
【図１】本発明の実施形態１に係る遊技機の施錠装置における錠本体の分解斜視図である。
【図２】錠本体の部分破断平面図（Ａ図）、Ａ図のB-B矢視断面図（Ｂ図）である。
【図３】錠本体の動作を表す縦断面図（Ａ図、Ｂ図）である。
【図４】錠本体を構成する弾性体の単体図（Ａ図、Ｂ図）、及び回転体の斜視図（Ｃ図）である。
【図５】本実施形態に係る施錠装置を備えるパチンコ機の分解斜視図である。
【図６】従来の遊技機の施錠装置を構成する錠本体の分解斜視図（Ａ図）、及び全体斜視図（Ｂ図、Ｃ図）である。
【符号の説明】
【００２５】
１１      機台枠
１２      表枠
２０      ガラス枠
３０      ガラス枠用施錠機構
４０      表枠用施錠機構
５０      錠本体
５１      シリンダ錠
５２      ガラス枠用解錠レバー
５４      表枠用解錠レバー
５５      回転体
５５ｍ    バネ溝
５７      弾性体
５７ｅ    第１直線部（一端）
５７ｆ    第２直線部（他端）
６０      バネ受けピン（固定バネ受け材）
６１      バネ溝
【図１】
0004417900.tif 000002
【図２】
0004417900.tif 000003
【図３】
0004417900.tif 000004
【図４】
0004417900.tif 000005
【図５】
0004417900.tif 000006
【図６】
0004417900.tif 000007